(57)【要約】【課題】各種機能を設定するパネル、スーパーオプション、ＰＪＬ、ＰＤＬの各手段の中から最優先の手段を設定可能にすることにより、使い勝手に優れた画像形成装置を提供する。【解決手段】両面印刷設定、排紙先設定、ソート設定を含む各種機能の設定が可能なパネル設定制御部２５、スーパーオプション処理部３１、ＰＪＬ処理部３２、ＰＤＬ処理部３３を備え、パネル設定制御部２５による各種機能の設定を最優先するモードを持つ画像形成装置。【選択図】      図２
2004188619.tif 000002
【特許請求の範囲】
【請求項１】
両面印刷設定、排紙先設定、ソート設定を含む各種機能の設定が可能なパネル設定制御部、スーパーオプション処理部、ＰＪＬ処理部、ＰＤＬ処理部を備え、パネル設定制御部による各種機能の設定を最優先するモードを持つことを特徴とする画像形成装置。
【請求項２】
両面印刷設定、排紙先設定、ソート設定を含む各種機能の設定が可能なパネル設定制御部、スーパーオプション処理部、ＰＪＬ処理部、ＰＤＬ処理部を備え、スーパーオプション処理部による各種機能の設定を最優先するモードを持つことを特徴とする画像形成装置。
【請求項３】
両面印刷設定、排紙先設定、ソート設定を含む各種機能の設定が可能なパネル設定制御部、スーパーオプション処理部、ＰＪＬ処理部、ＰＤＬ処理部を備え、ＰＪＬ処理部による各種機能の設定を最優先するモードを持つことを特徴とする画像形成装置。
【請求項４】
両面印刷設定、排紙先設定、ソート設定を含む各種機能の設定が可能なパネル設定制御部、スーパーオプション処理部、ＰＪＬ処理部、ＰＤＬ処理部を備え、ＰＤＬ処理部による各種機能の設定を最優先するモードを持つことを特徴とする画像形成装置。
【請求項５】
請求項１ないし４に記載の画像形成装置において、ユーザ固有のユーザＩＤごとに最優先するモードを設定可能であることを特徴とする画像形成装置。
【請求項６】
請求項４に記載の画像形成装置において、ＰＤＬの種類ごとに最優先するモードを設定可能であることを特徴とする画像形成装置。
【請求項７】
請求項１ないし４に記載の画像形成装置において、各種機能ごとに最優先するモードを設定可能であることを特徴とする画像形成装置。
【発明の詳細な説明】
【０００１】
【発明の属する技術分野】
本発明は、両面印刷設定、排紙先設定、ソート設定を含む各種機能の設定が可能な画像形成装置（プリンタ）に関するものである。
【０００２】
【従来の技術】
近年、各種情報処理装置等の出力手段としてのプリンタは広く普及し、様々な機能（両面設定、排紙先設定、ソート設定など）を様々な手段（パネル、スーパーオプション、ＰＪＬ、ＰＤＬ）を操作して設定することが可能である。また、同じ機能設定を異なる手段を操作することにより実行可能な場合も多い。つまり、設定手段が重複する場合も多い。このような場合、ある優先度（後勝ちとする場合が多い）で印刷が実行されるのが一般的である。
【０００３】
【発明が解決しようとする課題】
具体的には、パネル設定を変えたとしても、印刷データ内に同じ設定が含まれている場合には、パネル設定が有効とならない場合がある。このような場合、印刷データを修正する必要があるが、印刷データを修正するにはＰＪＬやＰＤＬなどのコマンドの知識を有していないと困難である。
また、ＰＪＬ設定を変えても、同じ設定のＰＤＬコマンドが含まれている場合、ＰＪＬ設定が有効とならない場合がある。このような場合、ＰＤＬコマンドを修正する必要があるが、ＰＤＬコマンドを修正するにはＰＤＬコマンドの知識を有していないと困難である。特にＰＤＬコマンドはバイナリ形式も多く、テキスト形式のＰＪＬコマンドに比べ知識の習得が難しいため、さらに困難である。
本発明は、各種機能を設定するパネル、スーパーオプション、ＰＪＬ、ＰＤＬの各手段の中から最優先の手段を設定可能にすることにより、使い勝手に優れた画像形成装置を提供することを目的とするものである。
【０００４】
【課題を解決するための手段】
上記目的を達成するために、請求項１記載の発明は、両面印刷設定、排紙先設定、ソート設定を含む各種機能の設定が可能なパネル設定制御部、スーパーオプション処理部、ＰＪＬ処理部、ＰＤＬ処理部を備え、パネル設定制御部による各種機能の設定を最優先するモードを持つ画像形成装置を最も主要な特徴とする。
請求項２記載の発明は、両面印刷設定、排紙先設定、ソート設定を含む各種機能の設定が可能なパネル設定制御部、スーパーオプション処理部、ＰＪＬ処理部、ＰＤＬ処理部を備え、スーパーオプション処理部による各種機能の設定を最優先するモードを持つ画像形成装置を最も主要な特徴とする。
請求項３記載の発明は、両面印刷設定、排紙先設定、ソート設定を含む各種機能の設定が可能なパネル設定制御部、スーパーオプション処理部、ＰＪＬ処理部、ＰＤＬ処理部を備え、ＰＪＬ処理部による各種機能の設定を最優先するモードを持つ画像形成装置を最も主要な特徴とする。
請求項４記載の発明は、両面印刷設定、排紙先設定、ソート設定を含む各種機能の設定が可能なパネル設定制御部、スーパーオプション処理部、ＰＪＬ処理部、ＰＤＬ処理部を備え、ＰＤＬ処理部による各種機能の設定を最優先するモードを持つ画像形成装置を最も主要な特徴とする。
請求項５記載の発明は、請求項１ないし４に記載の画像形成装置において、ユーザ固有のユーザＩＤごとに最優先するモードを設定可能である画像形成装置を主要な特徴とする。
請求項６記載の発明は、請求項４に記載の画像形成装置において、ＰＤＬの種類ごとに最優先するモードを設定可能である画像形成装置を主要な特徴とする。
請求項７記載の発明は、請求項１ないし４に記載の画像形成装置において、各種機能ごとに最優先するモードを設定可能である画像形成装置を主要な特徴とする。
【０００５】
【発明の実施の形態】
以下、図面により本発明の実施の形態を詳細に説明する。
図１は画像形成システムの構成図である。本画像形成システムは、ホストコンピュータ１とプリンタ（画像形成装置）２とが何らかの双方向通信可能な通信手段で接続されることで構成されている。
図２は本発明の実施の形態に係るプリンタにおけるプリンタコントローラの機能ブロック図である。プリンタ２は、プリンタコントローラ１１とプロッタ部１２とを備えており、プリンタコントローラ１１は、ホストコンピュータ１およびプロッタ部１２と何らかの通信Ｉ／Ｆで接続されている。
プロッタ部１２は、プリンタコントローラ１１にて展開・解釈されたデータを印字したり、状態変化をプリンタコントローラ１１に通知する。
プリンタコントローラ１１において、ホストＩ／Ｆ２１は、ホストコンピュータ１とのデータのやり取りを行う所でプリンタ２の状態をホストコンピュータ１に通知したりホストコンピュータ１で作成された文書の印刷データを受けたりする。
画像作成部２０２は、ホストＩ／Ｆ２１で受けと取った印刷データ（通常は印刷データコマンド）を解釈して電子画像データに展開する。画像処理主制御部２３は、印刷出力まで（給紙・排紙・ステープルなど）の制御やプリンタ状態の制御を行う。
プロッタ部Ｉ／Ｆ２４は、プロッタ部１２とのデータのやり取りを行う所でプロッタ部１２の状態を受信したり、プリンタコントローラ１１で展開・解釈された印刷データをプロッタ部１２に送信する。パネル設定制御部２５は、パネル表示やパネル設定の制御を行う。設定データ管理部２６は、設定データ保存の要求を受け、最優先モードを考慮し、設定の保存処理を行う。
画像処理主制御部２３において、スーパーオプション処理部３１は、スーパーオプションを解釈しその設定を設定データ管理部２６に保存要求する。ＰＪＬ（Ｐｒｉｎｔｅｒ  Ｊｏｂ  Ｌａｎｇｕａｇｅ）処理部３２は、ＰＪＬを解釈しその設定を設定データ管理部２６に保存要求する。ＰＤＬ（ページ記述言語）処理部３３は、ＰＤＬを解釈しその設定を設定データ管理部２６に保存要求する。
【０００６】
次に、上記の如き構成を備えた本発明の画像形成装置においては、まず、パネル設定制御部による各種機能の設定を最優先するモードを備えているので、ホストコンピュータ１からプリンタ２に送信されてきた印刷データ内に同じ設定が含まれていたとしても、必ずパネル設定が有効になるため、ＰＪＬやＰＤＬなどのコマンドの知識を有していないと困難である印刷データ修正という作業をすることなく、各種機能の設定が容易に可能である。
次に、本発明の他の実施形態では、スーパーオプション処理部による各種機能の設定を最優先するモードそ備えているので、印刷データ内に同じ設定が含まれていたり、パネルにて同じ設定がなされていても、必ずスーパーオプション設定が有効になるため、ＰＪＬやＰＤＬなどのコマンドの知識を有していないと困難である印刷データ修正作業やパネル設定の変更を行うことなく、各種機能の設定が容易に可能である。この結果、各種機能をスーパーオプションを使用して実現しているＵＮＩＸ（登録商標）やＤＯＳユーザに特に有効である。
次に、本発明の他の実施形態では、ＰＪＬ処理部による各種機能の設定を最優先するモードを有しているため、印刷データ内に同じＰＤＬ設定が含まれていたり、パネルやスーパーオプションにて同じ設定がなされていても、必ずＰＪＬ設定が有効になるため、ＰＤＬのコマンドの知識を有していないと困難である印刷データ内のＰＤＬコマンド修正作業やパネルやスーパーオプション設定の変更を行うことなく、各種機能の設定が容易に可能である。ＰＪＬはＰＤＬに依存することが少なく、各種機能を設定可能であり、かつ公開性が高いため、ＰＪＬを使用し、大規模システムなどを作成することも多いので、この効果は大きい。
【０００７】
次に、本発明の他の実施形態では、ＰＤＬ処理部による各種機能の設定を最優先するモードを有しているので、印刷データ内に同じＰＪＬ設定が含まれていたり、パネルやスーパーオプションにて同じ設定がなされていても、必ずＰＤＬ設定が有効になるため、ＰＪＬのコマンドの知識を有していないと困難である印刷データ内のＰＪＬコマンド修正作業やパネルやスーパーオプション設定の変更を行うことなく、各種機能の設定が容易に可能である。ＰＪＬやスーパーオプションは最近の機能であるため、ＰＤＬコマンドのみの印刷データを使用しているような昔からプリンタを使用しているようなユーザに特に有効である。
次に、本発明の他の実施形態によれば、ユーザ固有のユーザＩＤごとに最優先するモードを設定可能であるので、ユーザ（ＩＤ）ごとに上記各実施形態に示した効果を得ることが可能となり、ネットワーク環境下において、他のユーザに影響を与える（意図しない印刷を強いる）ことなく、画像形成装置を使用することができる。
次に、本発明の他の実施形態によれば、ＰＤＬの種類ごとに最優先するモードを設定可能であるため、ユーザが多い場合にモード設定に時間がかかってしまう不具合を防ぐことが可能である。また、個人でＰＤＬを使い分けることにより、最優先するモードを複数持つことも可能である。
次に、本発明の他の実施形態によれば、各種機能毎に最優先するモードを設定可能であるため、最優先モード設定したい機能が限定されている場合、非常に有効である。つまり、このような場合、モード設定したい機能以外も優先度が決まってしまうため、ユーザが意図しない印刷となってしまい、結局、印刷データを変更しなければ無くなる可能性があるが、これを防ぐことができる。
【０００８】
次に、図３はデータ受信時の動作を示すフローチャートである。なお、パネル設定変更時の動作の説明は省略するが、印刷データ受信時ではなく、パネル設定変更時に行われることのみが差異で、その他の動作は同一であることは明らかである。
ホストコンピュータ１がプリンタ２に印刷データを送信する。プリンタコントローラ１１はその印刷データをホストＩ／Ｆ２１で受信する（Ｓ１）。画像処理主制御部２３における各処理部（スーパーオプション処理部３１、ＰＪＬ処理部３２、ＰＤＬ処理部３３）でデータを解釈し（Ｓ２）、各種機能の設定を設定データ管理部２６に保存要求する（設定データ管理部２６での動作は後述する）（Ｓ３）。
そして設定データ管理部２６にて設定データ保存処理を行う（Ｓ４）。本処理を印刷データが終了するまで（Ｓ５でＹ）、繰り返す。印刷データ終了時には、印刷データを画像作成部２２で画像データに展開し（Ｓ６）、プロッタ部Ｉ／Ｆ２４経由で画像データを送信し、プロッタ部１２が印刷を開始する（Ｓ７）。
図４は設定データ管理部における設定データ保存処理を示すフローチャートである。設定データ管理部２６は、最優先モードの設定（パネル、スーパーオプション、ＰＪＬ、ＰＤＬ）があるかどうかを判断し（Ｓ１１）、設定がなければ要求されたデータを保存し（Ｓ１９）処理を終了する。あれば以下の処理を行う。
最優先モード設定された手段（パネル、スーパーオプション、ＰＪＬ、ＰＤＬ）と設定保存要求した手段（パネル、スーパーオプション、ＰＪＬ、ＰＤＬ）が一致するか判断し（Ｓ１２）、一致しなければ（設定を保存することなく）処理を終了する。一致すれば、以下の処理を行う。
ユーザＩＤごとの設定があるかどうか（Ｓ１３）、およびユーザＩＤが一致するかどうかを判断し（Ｓ１４）、ユーザＩＤごとの設定があり、かつユーザＩＤが一致しない場合は（設定を保存することなく）処理を終了する。それ以外の場合は以下の処理を行う。
機能ごとの設定があるかどうか（Ｓ１５）、および機能が一致するか判断し（Ｓ１６）、機能ごとの設定があり、かつ機能が一致しない場合は（設定を保存することなく）処理を終了する。それ以外の場合は以下の処理を行う。
ＰＤＬごとの設定があるかどうか（Ｓ１７）、およびＰＤＬが一致するか判断し（Ｓ１８）、ＰＤＬごとの設定があり、かつＰＤＬが一致しない場合は（設定を保存することなく）処理を終了する。それ以外の場合は要求されたデータを保存し（Ｓ１９）処理を終了する。
【０００９】
【発明の効果】
以上説明したように、請求項１によれば、印刷データ内に同じ設定が含まれていても、必ずパネル設定が有効になるため、ＰＪＬやＰＤＬなどのコマンドの知識を有していないと困難である印刷データ修正という作業をすることなく、各種機能の設定が容易に可能である。
請求項２によれば、印刷データ内に同じ設定が含まれていたり、パネルにて同じ設定がなされていても、必ずスーパーオプション設定が有効になるため、ＰＪＬやＰＤＬなどのコマンドの知識を有していないと困難である印刷データ修正作業やパネル設定の変更を行うことなく、各種機能の設定が容易に可能である。各種機能をスーパーオプションを使用して実現しているＵＮＩＸ（登録商標）やＤＯＳユーザに特に有効である。
請求項３によれば、印刷データ内に同じＰＤＬ設定が含まれていたり、パネルやスーパーオプションにて同じ設定がなされていても、必ずＰＪＬ設定が有効になるため、ＰＤＬのコマンドの知識を有していないと困難である印刷データ内のＰＤＬコマンド修正作業やパネルやスーパーオプション設定の変更を行うことなく、各種機能の設定が容易に可能である。ＰＪＬはＰＤＬに依存することが少なく、各種機能を設定可能であり、かつ公開性が高いため、ＰＪＬを使用し、大規模システムなどを作成することも多いので、この効果は大きい。
請求項４によれば、印刷データ内に同じＰＪＬ設定が含まれていたり、パネルやスーパーオプションにて同じ設定がなされていても、必ずＰＤＬ設定が有効になるため、ＰＪＬのコマンドの知識を有していないと困難である印刷データ内のＰＪＬコマンド修正作業やパネルやスーパーオプション設定の変更を行うことなく、各種機能の設定が容易に可能である。ＰＪＬやスーパーオプションは最近の機能であるため、ＰＤＬコマンドのみの印刷データを使用しているような昔からプリンタを使用しているようなユーザに特に有効である。
請求項５によれば、ユーザ（ＩＤ）ごとに請求項１〜４記載の効果を得ることが可能なので、ネットワーク環境下において、他のユーザに影響を与える（意図しない印刷を強いる）ことなく、画像形成装置を使用することができる。
請求項６によれば、グループごとにモード設定を決めることが可能なので、ユーザが多い場合にモード設定に時間がかかってしまう不具合を防ぐことが可能である。また、個人でＰＤＬを使い分けることにより、最優先するモードを複数持つことも可能である。
請求項７によれば、各種機能ごとに最優先するモードを設定可能なので、最優先モード設定したい機能が限定されている場合、非常に有効である。つまり、このような場合、モード設定したい機能以外も優先度が決まってしまうため、ユーザが意図しない印刷となってしまい、結局、印刷データを変更しなければ無くなる可能性があるが、これを防ぐことができる。
【図面の簡単な説明】
【図１】画像形成システムの構成図である。
【図２】本発明の実施の形態に係るプリンタにおけるプリンタコントローラの機能ブロック図である。
【図３】データ受信時の動作を示すフローチャートである。
【図４】設定データ管理部における設定データ保存処理を示すフローチャートである。
【符号の説明】
１１  プリンタコントローラ
２５  パネル設定制御部
３１  スーパーオプション処理部
３２  ＰＪＬ処理部
３３  ＰＤＬ処理部
【図１】
2004188619.tif 000003
【図２】
2004188619.tif 000004
【図３】
2004188619.tif 000005
【図４】
2004188619.tif 000006